(57)【要約】【課題】電子機器から情報を取得する際の電力消費量及び電源供給装置側で供給する電源を制御することにより電子機器の電力消費量を低減できる電源供給装置及び電源供給システムを提供する。【解決手段】電源供給装置２は、ＥＥＰＲＯＭ４１Ａを格納する電子機器４Ａが接続されたときに、電子機器４Ａの動作用の電圧よりも小さい情報取得用の電圧をＥＥＰＲＯＭ４１Ａに供給する変圧器１４と、ＥＥＰＲＯＭ４１Ａから情報を取得する制御部１１と、当該情報の取得後に、情報取得用の電圧の供給を切断するスイッチ２１を備えている。【選択図】図１
2014081731.tif 000002
【特許請求の範囲】
【請求項１】
記録媒体を格納する電子機器が接続されたときに、当該電子機器の動作用の電圧よりも小さい情報取得用の電圧を前記記録媒体に供給する第１供給手段と、
前記記録媒体から情報を取得する取得手段と、
前記情報の取得後に、前記情報取得用の電圧の供給を切断する切断手段と
を備えることを特徴とする電源供給装置。
【請求項２】
前記情報は、前記電子機器の動作に必要な電圧、前記電子機器の最大消費電力、前記電子機器の電源オン時刻及び前記電子機器の電源オフ時刻に関する情報であることを特徴とする請求項１に記載の電源供給装置。
【請求項３】
前記取得手段で取得した前記電子機器の動作に必要な電圧の情報に応じて、前記電子機器の動作用の電圧を前記電子機器に供給する第２供給手段を備えることを特徴とする請求項２に記載の電源供給装置。
【請求項４】
前記第２供給手段は、前記電子機器の電源オン時刻に関する情報に基づいて、前記電子機器の動作用の電圧を前記電子機器に供給し、前記電子機器の電源オフ時刻に関する情報に基づいて、前記電子機器の動作用の電圧の供給を停止することを特徴とする請求項３に記載の電源供給装置。
【請求項５】
複数の電子機器を接続可能な複数の接続手段と、
前記複数の接続手段に対応する複数の表示手段とを備え、
少なくとも１つの電子機器が接続されている接続手段に対応する表示手段は、前記電源供給装置に接続された電子機器の最大消費電力の合計値が前記電源供給装置の供給能力を超えるか否かに基づいて、対応する電子機器の電源供給状態又は電源切断状態を表示し、
電子機器が接続されていない接続手段に対応する表示手段は、前記電源供給装置の供給能力から前記接続された電子機器の最大消費電力の合計値を減算した結果に基づいて、新たに接続される電子機器の接続可能状態又は接続不可状態を表示する請求項２乃至４のいずれか１項に記載の電源供給装置。
【請求項６】
記録媒体を格納する電子機器が接続され、当該記録媒体から情報を読み出す通信回路を有するコネクタと、
前記コネクタと電源供給装置との間に接続されるケーブルであって、前記電子機器に当該電子機器の動作用の電圧を供給する第１の電源線と、当該電子機器の動作用の電圧よりも小さい情報取得用の電圧を前記記録媒体及び前記通信回路に供給する第２の電源線と、前記記録媒体から読み出された情報を前記電源供給装置に転送する通信線とを含むケーブルと、
前記電子機器が接続されたときに、前記情報取得用の電圧を前記第２の電源線を介して前記記録媒体及び前記通信回路に供給する供給手段、
前記通信回路から前記通信線を介して前記情報を取得する取得手段、及び
前記情報の取得後に、前記情報取得用の電圧の供給を切断する切断手段を有する電源供給装置と
を備えることを特徴とする電源供給システム。
【請求項７】
記録媒体及び第１無線モジュールを格納する電子機器が接続されるコネクタと、
前記コネクタと電源供給装置との間に接続されるケーブルであって、前記電子機器に当該電子機器の動作用の電圧を供給する第１の電源線と、当該電子機器の動作用の電圧よりも小さい情報取得用の電圧を前記記録媒体及び前記第１無線モジュールに供給する第２の電源線とを含むケーブルと、
前記電子機器が接続されたときに、前記情報取得用の電圧を前記第２の電源線及び前記コネクタを介して前記記録媒体及び前記第１無線モジュールに供給する供給手段、
前記第１無線モジュールから前記情報を取得する第２無線モジュール、及び
前記情報の取得後に、前記情報取得用の電圧の供給を切断する切断手段を有する電源供給装置と
を備えることを特徴とする電源供給システム。
【発明の詳細な説明】
【技術分野】
【０００１】
本発明は、電源供給装置及び電源供給システムに関する。
【背景技術】
【０００２】
従来より、ＡＣアダプタ、プリンタ及びデジタルカメラが直列接続されているシステムが知られている。このシステムでは、プリンタの電力制御部が、当該ＡＣアダプタ及びデジタルカメラからこれらのプロパティを取得し、最適な電力配分を決定し、ＡＣアダプタ及びデジタルカメラの両方の電力制御部をコントロールする（例えば、特許文献１参照）。
【０００３】
また、接続された電子機器からのインピーダンスの変動の通知に基づいて、当該電子機器の電源入力仕様を認識し、その電源入力仕様に従う動作用電源を生成し、当該電子機器に出力するＡＣアダプタが知られている（例えば、特許文献２参照）。
【先行技術文献】
【特許文献】
【０００４】
【特許文献１】特開平１１−２４３６５１号公報
【特許文献２】特開２０００−１３４８１６号公報
【発明の概要】
【発明が解決しようとする課題】
【０００５】
ところで、上記の特許文献１や２の技術では、電源供給装置（プリンタやＡＣアダプタ）は電子機器から情報を取得し、その情報に基づいて、適切な電力を電子機器に供給する。
【０００６】
しかしながら、電源供給装置は電子機器から情報を取得するために、電子機器に電子機器の動作用の電力を供給するので、情報の取得に必要な電力以上の電力が消費されてしまう。
【０００７】
本発明の目的は、電子機器から情報を取得する際の電力消費量及び電源供給装置側で供給する電源を制御することにより電子機器の電力消費量を低減できる電源供給装置及び電源供給システムを提供することにある。
【課題を解決するための手段】
【０００８】
上記目的を達成するため、明細書に開示された電源供給装置は、記録媒体を格納する電子機器が接続されたときに、当該電子機器の動作用の電圧よりも小さい情報取得用の電圧を前記記録媒体に供給する第１供給手段と、前記記録媒体から情報を取得する取得手段と、前記情報の取得後に、前記情報取得用の電圧の供給を切断する切断手段とを備えることを特徴とする。
【０００９】
明細書に開示された電源供給システムは、記録媒体を格納する電子機器が接続され、当該記録媒体から情報を読み出す通信回路を有するコネクタと、前記コネクタと電源供給装置との間に接続されるケーブルであって、前記電子機器に当該電子機器の動作用の電圧を供給する第１の電源線と、当該電子機器の動作用の電圧よりも小さい情報取得用の電圧を前記記録媒体及び前記通信回路に供給する第２の電源線と、前記記録媒体から読み出された情報を前記電源供給装置に転送する通信線とを含むケーブルと、前記電子機器が接続されたときに、前記情報取得用の電圧を前記第２の電源線を介して前記記録媒体及び前記通信回路に供給する供給手段、前記通信回路から前記通信線を介して前記情報を取得する取得手段、及び前記情報の取得後に、前記情報取得用の電圧の供給を切断する切断手段を有する電源供給装置とを備えることを特徴とする。
【００１０】
明細書に開示された電源供給システムは、記録媒体及び第１無線モジュールを格納する電子機器が接続されるコネクタと、前記コネクタと電源供給装置との間に接続されるケーブルであって、前記電子機器に当該電子機器の動作用の電圧を供給する第１の電源線と、当該電子機器の動作用の電圧よりも小さい情報取得用の電圧を前記記録媒体及び前記第１無線モジュールに供給する第２の電源線とを含むケーブルと、前記電子機器が接続されたときに、前記情報取得用の電圧を前記第２の電源線及び前記コネクタを介して前記記録媒体及び前記第１無線モジュールに供給する供給手段、前記第１無線モジュールから前記情報を取得する第２無線モジュール、及び前記情報の取得後に、前記情報取得用の電圧の供給を切断する切断手段を有する電源供給装置とを備えることを特徴とする。
【発明の効果】
【００１１】
本発明によれば、電源供給装置側で供給する電源を制御することにより電子機器の電力消費量及び電子機器から情報を取得する際の電力消費量を低減できる。
【図面の簡単な説明】
【００１２】
【図１】第１の実施の形態にかかる電源制御システムの概略構成図である。
【図２】表示部の発光状態の一例を示す図である。
【図３】各ＥＥＰＲＯＭが有する情報の一例を示す図である。
【図４】電子機器接続時の処理を示すフローチャートである。
【図５】動作用の電圧のオン・オフに関する処理を示すフローチャートである。
【図６】第２の実施の形態にかかる電源制御システムの概略構成図である。
【図７】図４の処理の変形例を示すフローチャートである。
【発明を実施するための形態】
【００１３】
以下、図面を参照しながら本発明の実施の形態を説明する。
【００１４】
（第１の実施の形態）
図１は、第１の実施の形態にかかる電源制御システムの概略構成図である。図１の電源制御システム１００は、ＡＣ電源１、電源供給装置２、コネクタ３Ａ〜３Ｄ及び電子機器４Ａ〜４Ｄを備えている。
【００１５】
電源供給装置２は、例えば、ＡＣアダプタである。電源供給装置２は、制御部１１、メモリ１２、タイマ１３、変圧器１４、スイッチ１５Ａ〜１５Ｄ、表示部１６Ａ〜１６Ｄ、電源線１７、通信線１８、接続端子１９Ａ〜１９Ｄ、通信ポート２０及びスイッチ２１を備えている。変圧器１４は第１供給手段として機能する。制御部１１は取得手段として機能する。スイッチ２１及び制御部１１は切断手段として機能する。スイッチ１５Ａ〜１５Ｄ及び制御部１１は第２供給手段として機能する。接続端子１９Ａ〜１９Ｄは接続手段として機能する。表示部１６Ａ〜１６Ｄは表示手段として機能する。
【００１６】
制御部１１は、例えばＣＰＵ（Cetral Processing Unit）で構成され、電源線１７上のスイッチ１５Ａ〜１５Ｄのオン・オフを制御して、電子機器４Ａ〜４Ｄを動作させる電力供給を制御する。また、制御部１１は、ＡＣ電源１から電子機器４Ａ〜４Ｄに供給される電力の合計値を監視する。さらに、制御部１１は、表示部１６Ａ〜１６Ｄの表示状態（例えば、表示色、点滅、又は表示内容）を制御する。制御部１１は、電源線１７上のスイッチ２１のオン・オフを制御して、コネクタ３Ａ〜３Ｄ及び電子機器４Ａ〜４Ｄへの情報取得用の電圧供給を制御する。
【００１７】
メモリ１２は、各種のデータや電子機器４Ａ〜４Ｄから取得する情報を記憶する。タイマ１３は、時間を計時し、時間情報を制御部１１に通知する。タイマ１３は、ソフトウエアのタイマであってもよい。変圧器１４は、ＡＣ電源１から供給される電圧を所定の電圧に変圧する。所定の電圧とは、電子機器４Ａ〜４ＤのＥＥＰＲＯＭ４１Ａ〜４１Ｄから情報を取得するのに必要な電圧であり、電子機器４Ａ〜４Ｄに供給される動作用の電圧よりも小さい電圧である。接続端子１９Ａ〜１９Ｄは、それぞれケーブル２５Ａ〜２５Ｄを接続する。また、接続端子、コネクタ及び電子機器の数は、図１の例に限定されない。
【００１８】
通信ポート２０は、外部機器（例えば、コンピュータ）を接続するポートであり、メモリ１２に新たな情報を格納したり、メモリ１２に格納されている情報を更新したり、又は電源供給装置２の設定を変更する場合に使用される。尚、電源供給装置２の設定を変更するためのデイップスイッチ（不図示）が電源供給装置２に設けられていてもよい。
【００１９】
各表示部１６Ａ〜１６Ｄは、制御部１１からのコマンドに応じて、対応する電子機器の電源供給状態及び電源切断状態、並びに電子機器の接続可能状態及び接続不可状態を表示する。電源供給状態は、対応する電子機器に電力が供給されている状態であり、電源切断状態は、対応する電子機器への電力供給が切断されていない状態である。接続可能状態は、電源供給装置２から供給可能な電力に余裕があり、新たな電子機器が接続端子１９Ａ〜１９Ｄのいずれかに接続可能である状態である。接続不可状態は、電源供給装置２から供給可能な電力に余裕がなく、新たな電子機器が接続端子１９Ａ〜１９Ｄのいずれかに接続可能である状態である。
【００２０】
表示部１６Ａ〜１６Ｄは、ＬＥＤで構成されているが、７セグメントディスプレイ又は液晶ディスプレイでもよい。各表示部１６Ａ〜１６ＤがＬＥＤで構成されている場合、例えば、電源供給状態は緑色の発光で示され、電源切断状態は消灯で示され、接続可能状態は赤色の発光で示され、接続不可状態は、橙色の発光で示される。図２に、表示部１６Ａ〜１６Ｄの発光状態の一例を示す。このように、表示部１６Ａ〜１６Ｄの各々は状態に応じて、発光色を変更する。尚、発光色はこれらに限定されない。また、電源供給状態、電源切断状態、接続可能状態及び接続不可状態は、ＬＥＤの異なる点滅速度又は異なる点滅時間によって示されてもよい。各表示部１６Ａ〜１６Ｄが７セグメントディスプレイ又は液晶ディスプレイで構成されている場合は、電源供給状態、電源切断状態、接続可能状態及び接続不可状態は、文字、数字又は記号などで示されてもよい。
【００２１】
電子機器４Ａ〜４Ｄは、それぞれ、ＥＥＰＲＯＭ（Electrically Erasable Programmable Read-Only Memory）４１Ａ〜４１Ｄを備えている。図３に、各ＥＥＰＲＯＭが有する情報の一例を示す。図３に示すように、ＥＥＰＲＯＭ４１Ａ〜４１Ｄの各々は、対応する電子機器の動作に必要な電圧、対応する電子機器の最大消費電力、対応する電子機器の電源オン時刻及び対応する電子機器の電源オフ時刻に関する情報を格納している。電源オン時刻及び電源オフ時刻に関する情報は、電源供給装置２が電子機器に電力を供給したり又は電力供給を停止するときに制御部１１が参照する省電力情報である。尚、各ＥＥＰＲＯＭは、電子機器の動作に必要な電圧、電子機器の最大消費電力、電子機器の電源オン時刻及び電子機器の電源オフ時刻に関する情報以外の別の情報を格納していてもよい。
【００２２】
コネクタ３Ａ〜３Ｄは、それぞれ電子機器４Ａ〜４Ｄに装着され、ケーブル２５Ａ〜２５Ｄを介して接続端子１９Ａ〜１９Ｄに接続されている。コネクタ３Ａ〜３Ｄは、それぞれデータ通信回路としてＲＳ２３２Ｃドライバ回路３１Ａ〜３１Ｄを備える。ＲＳ２３２Ｃドライバ回路３１Ａ〜３１Ｄは、ＳＰＩ（Serial Peripheral Interface）又はＩ２Ｃ（Inter-Integrated Circuit）インターフェースを利用してＥＥＰＲＯＭ４１Ａ〜４１Ｄとシリアル通信を行う。
【００２３】
ケーブル２５Ａ〜２５Ｄの各々は、各電子機器の動作用の電圧（ＤＣ＋、ＤＣ−）を各コネクタに供給する電源線２６（２６Ａ〜２６Ｄ）及び電源線２７（２７Ａ〜２７Ｄ）と、情報取得用の電圧（ＶＤＤ）を各コネクタ内のＲＳ２３２Ｃドライバ回路に供給する電源線２８（２８Ａ〜２８Ｄ）と、各ＥＥＰＲＯＭから読み出された情報を制御部１１に送信する通信線２９（２９Ａ〜２９Ｄ）とを備えている。電源線２６（２６Ａ〜２６Ｄ）及び電源線２７（２７Ａ〜２７Ｄ）は第１電源線として機能する。電源線２８（２８Ａ〜２８Ｄ）は第２電源線として機能する。
【００２４】
コネクタ３Ａ〜３Ｄがケーブル２５Ａ〜２５Ｄを介してそれぞれ接続端子１９Ａ〜１９Ｄに接続されると、ＡＣ電源１からの情報取得用の電圧がケーブル２５Ａ〜２５Ｄの電源線２８Ａ〜２８Ｄを介してＲＳ２３２Ｃドライバ回路３１Ａ〜３１Ｄに供給される。ＲＳ２３２Ｃドライバ回路３１Ａ〜３１Ｄの各々は、対応するＥＥＰＲＯＭに格納されている、電子機器の動作に必要な電圧、電子機器の最大消費電力、電子機器の電源オン時刻及び電子機器の電源オフ時刻に関する情報を読み出し、その読み出された情報を制御部１１に出力する。制御部１１は、電子機器の動作に必要な電圧、電子機器の最大消費電力、電子機器の電源オン時刻及び電子機器の電源オフ時刻に関する情報をメモリ１２に格納する。
【００２５】
図４は、電子機器接続時の処理を示すフローチャートである。ここでは、電子機器４Ａが電源供給装置２に接続される場合の処理を述べるが、電子機器４Ｂ〜４Ｄが電源供給装置２に接続される場合も同様の処理が実行される。
【００２６】
まず、ケーブル２５Ａ及びコネクタ３Ａが電源供給装置２と電子機器４Ａとの間に接続されると（ステップＳ１）、情報取得用の電圧（ＶＤＤ）がケーブル２５Ａを介してコネクタ３Ａ内のＲＳ２３２Ｃドライバ回路３１Ａ及び電子機器４Ａ内のＥＥＰＲＯＭ４１Ａに供給される（ステップＳ２）。ここで、情報取得用の電圧（ＶＤＤ）は、ＥＥＰＲＯＭ４１Ａから情報を読み出すためにＲＳ２３２Ｃドライバ回路３１Ａ及びＥＥＰＲＯＭ４１Ａに供給される電圧であるため、電子機器４Ａの動作用の電圧（ＤＣ＋、ＤＣ−）よりも小さい。
【００２７】
次いで、ＲＳ２３２Ｃドライバ回路３１Ａは、ＥＥＰＲＯＭ４１Ａに格納されている、電子機器の動作に必要な電圧、電子機器の最大消費電力、電子機器の電源オン時刻及び電子機器の電源オフ時刻に関する情報を読み出し、その読み出された情報を制御部１１に出力する（ステップＳ３）。
【００２８】
制御部１１は、電子機器の動作に必要な電圧、電子機器の最大消費電力、電子機器の電源オン時刻及び電子機器の電源オフ時刻に関する情報を取得し、メモリ１２に格納する（ステップＳ４）。その後、制御部１１は、スイッチ２１をオフにして、情報取得用の電圧（ＶＤＤ）を切断する（ステップＳ５）。
【００２９】
制御部１１は、取得された電子機器の最大消費電力の情報に基づいて、電子機器４Ａに電力が供給可能であるか否かを判別する（ステップＳ６）。ここで、すでに電源供給装置２に接続された別の電子機器がある場合には、制御部１１は、電子機器４Ａの最大消費電力及び当該接続済みの電子機器の最大消費電力の合計値が電源供給装置２の供給能力（即ち、最大供給可能電力）を超えるか否かに基づいて、電子機器４Ａに電力が供給可能であるか否かを判別する。
【００３０】
ステップＳ６でＹＥＳの場合には、制御部１１は、スイッチ１５Ａをオンにし、電子機器４Ａの動作に必要な電圧の情報に対応する動作用の電圧（ＤＣ＋、ＤＣ−）を電子機器４Ａに供給すると共に、電源供給状態を示すように表示部１６Ａを制御する（ステップＳ７）。例えば、制御部１１は、電源供給状態を示す色のＬＥＤ（表示部１６Ａ）を点灯する又は電源供給状態を示す情報を液晶ディスプレイ（表示部１６Ａ）に表示する。
【００３１】
ステップＳ７に示すように、制御部１１は、各電子機器の動作に必要な電圧の情報に対応する動作用の電圧（ＤＣ＋、ＤＣ−）を対応する電子機器に供給する、即ち、電子機器毎に動作用の電圧を切り替えるので、電子機器への誤装着を防止する機構（例えば、電子機器毎に変更されるコネクタの形状）をコネクタに設ける必要がなくなる。
【００３２】
ステップＳ６でＮＯの場合には、制御部１１は、スイッチ１５Ａをオフにすると共に、電源切断状態を示すように表示部１６Ａを制御する（ステップＳ８）。例えば、制御部１１は、電源切断状態を示すようにＬＥＤ（表示部１６Ａ）を消灯する又は電源切断状態を示す情報を液晶ディスプレイ（表示部１６Ａ）に表示する。
【００３３】
制御部１１は、電源供給装置２の供給能力（即ち、最大供給可能電力）及び電子機器４Ａの最大消費電力の情報に基づいて、電子機器４Ａ以外の別の電信機器に電力が供給可能であるか、即ち別の電子機器が接続端子１９Ｂ〜１９Ｄのいずれかに接続可能であるか否かを判別する（ステップＳ９）。具体的には、制御部１１は、電源供給装置２の供給能力から電子機器４Ａの最大消費電力（即ち、電源供給装置２に接続された電子機器の最大消費電力の合計値）を減算し、その減算値が所定の値を超える場合には、電子機器４Ａ以外の別の電信機器に電力が供給可能であると判別する。
【００３４】
ステップＳ９でＹＥＳの場合には、制御部１１は、接続可能状態を示すように表示部１６Ａを制御する（ステップＳ１０）。例えば、制御部１１は、接続可能状態を示す色のＬＥＤ（表示部１６Ａ）を点灯する又は接続可能状態を示す情報を液晶ディスプレイ（表示部１６Ａ）に表示する。
【００３５】
ステップＳ９でＮＯの場合には、制御部１１は、接続不可状態を示すように表示部１６Ａを制御する（ステップＳ１１）。例えば、制御部１１は、接続不可状態を示す色のＬＥＤ（表示部１６Ａ）を点灯する又は接続不可状態を示す情報を液晶ディスプレイ（表示部１６Ａ）に表示する。
【００３６】
図５は、動作用の電圧（ＤＣ＋、ＤＣ−）のオン・オフに関する処理を示すフローチャートである。ここでは、電子機器４Ａが電源供給装置２に接続されている場合の処理を述べるが、電子機器４Ｂ〜４Ｄが電源供給装置２に接続されている場合も同様の処理が実行される。また、図４のステップＳ４に示すように、制御部１１が、電子機器の動作に必要な電圧、電子機器の最大消費電力、電子機器の電源オン時刻及び電子機器の電源オフ時刻に関する情報をすでに取得しているものとする。
【００３７】
まず、制御部１１は、タイマ１３からの時間情報及び取得した電源オン時刻の情報に基づいて、電子機器４Ａの電源オン時刻が経過しているか否かを判別する（ステップＳ２１）。ステップＳ２１でＮＯの場合には、当該判別を繰り返す。一方、ステップＳ２１でＹＥＳの場合には、制御部１１は、スイッチ１５Ａをオンにし、動作用の電圧（ＤＣ＋、ＤＣ−）を電子機器４Ａに供給すると共に、電源供給状態を示すように表示部１６Ａを制御する（ステップＳ２２）。例えば、制御部１１は、電源供給状態を示す色のＬＥＤ（表示部１６Ａ）を点灯する又は電源供給状態を示す情報を液晶ディスプレイ（表示部１６Ａ）に表示する。
【００３８】
次に、制御部１１は、タイマ１３からの時間情報及び取得した電源オフ時刻の情報に基づいて、電子機器４Ａの電源オフ時刻が経過しているか否かを判別する（ステップＳ２３）。ステップＳ２３でＮＯの場合には、当該判別を繰り返す。一方、ステップＳ２３でＹＥＳの場合には、制御部１１は、スイッチ１５Ａをオフにすると共に、電源切断状態を示すように表示部１６Ａを制御する（ステップＳ２４）。例えば、制御部１１は、電源切断状態を示すようにＬＥＤ（表示部１６Ａ）を消灯する又は電源切断状態を示す情報を液晶ディスプレイ（表示部１６Ａ）に表示する。
【００３９】
以上説明したように、本実施の形態によれば、電源供給装置２は、ＥＥＰＲＯＭ４１Ａを格納する電子機器４Ａが接続されたときに、電子機器４Ａの動作用の電圧よりも小さい情報取得用の電圧をＥＥＰＲＯＭ４１Ａに供給する変圧器１４と、ＥＥＰＲＯＭ４１Ａから情報を取得する制御部１１と、当該情報の取得後に、情報取得用の電圧の供給を切断するスイッチ２１を備えている。従って、電源供給装置２は、電子機器４Ａから情報を取得する際に電子機器４Ａの動作用の電圧を電子機器４Ａに供給する必要がないので、電子機器４Ａから情報を取得する際の電力消費量を低減できる。
【００４０】
（第２の実施の形態）
第２の実施の形態は、各電子機器のＥＥＰＲＯＭに格納されている情報が無線通信で制御部１１に送られる点で、第１の実施の形態と異なる。
【００４１】
図６は、第２の実施の形態にかかる電源制御システム１０１の概略構成図である。ここでは、図１の電源制御システム１００と異なる電源制御システムの構成を説明する。
【００４２】
図６では、電源供給装置２は、図１の電源供給装置２の構成に加えて、各電子機器のＥＥＰＲＯＭに格納されている情報（即ち、電子機器の動作に必要な電圧、電子機器の最大消費電力、電子機器の電源オン時刻及び電子機器の電源オフ時刻に関する情報）を取得するための無線モジュール２２を備えている。電子機器４Ａ〜４Ｄは、それぞれ無線モジュール４２Ａ〜４２Ｄを備えている。
【００４３】
一方、図１と比べると、コネクタ３Ａ〜３Ｄは、それぞれＲＳ２３２Ｃドライバ回路３１Ａ〜３１Ｄを備えていない。また、ケーブル２５Ａ〜２５Ｄはそれぞれ通信線２９Ａ〜２９Ｄを備えていない。これは、各電子機器のＥＥＰＲＯＭに格納されている情報が無線通信で制御部１１に送られるので、情報を読み出すための各ＲＳ２３２Ｃドライバ回路やその情報を制御部１１へ送信するための各通信線が不要になるためである。
【００４４】
図７は、図４の処理の変形例を示すフローチャートである。ここでは、電子機器４Ａが電源供給装置２に接続される場合の処理を述べるが、電子機器４Ｂ〜４Ｄが電源供給装置２に接続される場合も同様の処理が実行される。
【００４５】
まず、ケーブル２５Ａ及びコネクタ３Ａが電源供給装置２と電子機器４Ａとの間に接続されると（ステップＳ１）、情報取得用の電圧（ＶＤＤ）がケーブル２５Ａ及びコネクタ３Ａを介して電子機器４Ａ内のＥＥＰＲＯＭ４１Ａ及び無線モジュール４２Ａに供給される（ステップＳ２Ａ）。無線モジュール４２ＡがＥＥＰＲＯＭ４１Ａに格納されている情報（即ち、電子機器の動作に必要な電圧、電子機器の最大消費電力、電子機器の電源オン時刻及び電子機器の電源オフ時刻に関する情報）を読み出し（ステップＳ３Ａ）、当該情報を無線モジュール２２を介して制御部１１に無線送信する（ステップＳ４Ａ）。ステップＳ５〜Ｓ１１の工程は、上記図４のステップＳ５〜Ｓ１１の工程と同様である。尚、図５の処理は、本実施の形態でも実行される。
【００４６】
第２の実施の形態によれば、第１の実施の形態と同様に、電源供給装置２は、電子機器４Ａから情報を取得する際に電子機器４Ａの動作用の電圧を電子機器４Ａに供給する必要がないので、電子機器４Ａから情報を取得する際の電力消費量を低減できる。
【００４７】
第１及び第２の実施の形態では、例えば、複数の電子機器４Ａ〜４Ｄが電源供給装置２に接続され、電子機器４Ａ〜４Ｄの最大消費電力の合計値が電源供給装置２の供給能力（即ち、最大供給可能電力）を超える場合には、制御部１１は、表示部１６Ａ〜１６Ｄに、電源供給装置２の供給能力を超えない電子機器の組み合わせを表示させてもよい。例えば、電子機器４Ａ〜４Ｃの組み合わせが電源供給装置２の供給能力を超えない場合には、制御部１１は、電子機器４Ａ〜４Ｃに対応する表示部１６Ａ〜１６Ｃを同じ色で発光又は点滅させる。尚、表示部１６Ａ〜１６Ｄが液晶ディスプレイである場合には、電源供給装置２の供給能力を超えない電子機器の組み合わせを示す情報を表示してもよい。ユーザは、通信ポート２０に接続された外部機器又は不図示のデイップスイッチを使って、所望の電子機器の組み合わせを選択する。
【００４８】
また、電源供給装置２の供給能力を超えない電子機器の組み合わせが複数ある場合には、制御部１１は、電源供給装置２の供給能力を超えない電子機器の複数の組み合わせを切り替えて、表示部１６Ａ〜１６Ｄに表示させてもよい。この場合、ユーザは、通信ポート２０に接続された外部機器又は不図示のデイップスイッチを使って、所望の電子機器の組み合わせを選択する。
【００４９】
例えば、電子機器４Ａ及び４Ｂの組み合わせと、電子機器４Ａ及び４Ｃの組み合わせと、が電源供給装置２の供給能力を超えない場合には、制御部１１は、表示部１６Ａ及び１６Ｂを同じ色で所定時間発光させる又は点滅させた後に、表示部１６Ａ及び１６Ｃを同じ色で所定時間発光させる又は点滅させる。尚、表示部１６Ａ〜１６Ｄが液晶ディスプレイである場合には、電源供給装置２の供給能力を超えない電子機器の組み合わせを示す情報を表示してもよい。
【００５０】
また、制御部１１は、電源供給装置２の供給能力から電源供給装置２に接続された電子機器の最大消費電力の合計値を減算し、供給可能な残りの電力に関する情報を、電子機器が接続されていない接続端子に対応する表示部に表示してもよい。これにより、ユーザは、電子機器が接続されていない接続端子に接続できる電子機器の最大消費電力を判断することができる。
【００５１】
図１や図６の電源供給装置２の構成は、一例であり、これに限定されるものではない。例えば、スイッチ１５Ａ〜１５Ｄ、スイッチ２１、制御部１１及びメモリ１２は、１つのASIC（Application Specific Integrated Circuit）で構成されてもよい。
【００５２】
尚、本発明は、上述した実施の形態に限定されるものではなく、その要旨を逸脱しない範囲内で種々変形して実施することが可能である。
【符号の説明】
【００５３】
１００、１０１  電源制御システム
１  ＡＣ電源
２  電源供給装置
３Ａ〜３Ｄ  コネクタ
４Ａ〜４Ｄ  電子機器
１１  制御部
１２  メモリ
１３  タイマ
１４  変圧器
１５Ａ〜１５Ｄ、２１  スイッチ
１６Ａ〜１６Ｄ  表示部
１９Ａ〜１９Ｄ  接続端子
【図１】
2014081731.tif 000003
【図２】
2014081731.tif 000004
【図３】
2014081731.tif 000005
【図４】
2014081731.tif 000006
【図５】
2014081731.tif 000007
【図６】
2014081731.tif 000008
【図７】
2014081731.tif 000009